(57)【要約】本発明は、１つの送信側から複数の受信側にデータを伝送する方法、送信ユニット及び／又は受信ユニットならびに通信システムに関する。ポイント・ツー・マルチポイントサービスの受信側のグループに効果的でリソースを節約し且つエネルギを節約してデータを伝送するための方法、送信ユニット及び／又は受信ユニット並びに通信システムを提供するために、多層プロトコルアーキテクチャを有するシステムにおいて、有利にはマルチメディアブロードキャスト／マルチキャストサービスＭＢＭＳの形態である、マルチメディア伝送及び／又はマルチキャストサービスについてのブロードキャストサービスＣＢＳの拡張形態であるポイント・ツー・マルチポイントサービスがシステムリソースの使用の分配及び／又はプラニング及び非連続受信ＤＲＸの使用の際に実施される。
2004538730.tif 000002
【特許請求の範囲】
【請求項１】
１つの送信側から複数の受信側にデータを伝送する方法において、
多層プロトコルアーキテクチャを有するシステムにおいて、有利にはマルチメディアブロードキャスト／マルチキャストサービス（ＭＢＭＳ）の形態である、マルチメディア伝送及び／又はマルチキャストサービスについてのブロードキャストサービス（ＣＢＳ）の拡張形態としてのポイント・ツー・マルチポイントサービスを、システムリソースの使用の分配及び／又はプラニング及び非連続受信（ＤＲＸ）の使用の際に実施することを特徴とする、１つの送信側から複数の受信側にデータを伝送する方法。
【請求項２】
方法（ＭＣ  ＤＲＸ）に関するプラニングを２つのステップで実施する、請求項１記載の方法。
【請求項３】
ＭＣ  ＤＲＸレベル１メッセージにおいて、プラニング情報を伝送するためのリソースが何処で、どれ程及び何時割り当てられるかを通知する、請求項１または２記載の方法。
【請求項４】
ＭＣ  ＤＲＸレベル１メッセージにおいて、トランスポートチャネルのどのリソースまたは物理チャネルのどのフレームが予約されるまたは割り当てられるかという情報要素を伝送する、請求項１から３までのいずれか１項記載の方法。
【請求項５】
方法（ＭＣ  ＤＲＸ）に関するプラニングは、どの物理チャネル及び／又はトランスポートチャネルにおいて何時ＭＣサービスが使用され、該リソースが何時マルチキャストメッセージ（ＭＣ）をトランスポートするかを、スケジューリングメッセージまたはプラニングメッセージによって受信側に知らせる、請求項１から４までのいずれか１項記載の方法。
【請求項６】
ＣＴＣＨを送信側による事前設定に応じて、ＦＡＣＨとは異なるトランスポートプロトコル及びＳ−ＣＣＰＣＨとは異なる物理チャネルにマッピングする、請求項１から５までのいずれか１項記載の方法。
【請求項７】
非連続受信（ＤＲＸ）のプラニングメッセージを基礎として、種々のプロトコル層を無線リソース制御ユニットＲＲＣ、殊に受信側のＲＲＣによってコンフィギュレーションする、請求項１から６までのいずれか１項記載の方法。
【請求項８】
物理レベルにおいて、どのリソースにおいてＭＣメッセージのデータないし別のプラニングメッセージが期待できるかを知らせる、請求項１から７までのいずれか１項記載の方法。
【請求項９】
リソースのプラニング及び／又は割り当てに関するメッセージに、それぞれのマルチキャストグループに関する情報を付加する、請求項１から８までのいずれか１項記載の方法。
【請求項１０】
マルチキャストグループをＭＣグループアドレスまたはＭＣグループ識別子によってインデックス化する、請求項１から９までのいずれか１項記載の方法。
【請求項１１】
コントロール層（ＢＭＣ）において、メッセージの別の情報を評価することにより、有効情報を有するＭＣメッセージが受信されるべきか否かを決定する、請求項１から１０までのいずれか１項記載の方法。
【請求項１２】
前記情報をＭＣ  ＤＲＸレベル２メッセージの枠内で通知する、請求項１１記載の方法。
【請求項１３】
ＭＣ  ＤＲＸレベル２メッセージの枠内で、どのリソースにおいて物理チャネル及びトランスポートチャネルの形態でＭＣメッセージが実際に伝送されるかを通知する、請求項１１及び１２記載の方法。
【請求項１４】
実際にＭＣメッセージが物理チャネル及びトランスポートチャネルのリソースに基づき、何時伝送されるかを事前に割り当てたインデックスに基づき割り当てるないし知らせる、請求項１２または１３項記載の方法。
【請求項１５】
ＭＣ伝送に使用される最初のフレームに対するオフセット及び／又はＣＢＳプラニング周期の長さを表す、請求項１２から１３までのいずれか１項記載の方法。
【請求項１６】
ブロードキャストサービスまたはマルチキャストサービスのためのリソースにおいて予約されたリソースを区別するために情報要素を伝送する、請求項１から１５までのいずれか１項記載の方法。
【請求項１７】
送信ユニット及び／又は受信ユニットにおいて、
請求項１から１６までのいずれか１項記載の方法を実施するために構成されていることを特徴とする、送信ユニット及び／又は受信ユニット。
【請求項１８】
移動電話として構成されている、請求項１７記載の送信ユニット及び／又は受信ニュニット。
【請求項１９】
マルチメディアメッセージ（ＭＭ）を送信及び／又は受信するために構成されている、請求項１９または２０記載の送信ユニット及び／又は受信ユニット。
【請求項２０】
通信システムにおいて、
請求項１から１８までのいずれか１項記載の方法を使用するために構成されており、及び／又は、請求項１９または２１記載の送信ユニット及び／又は受信ユニットを包含することを特徴とする、通信システム。
【発明の詳細な説明】
【技術分野】
【０００１】
本発明は、１つの送信側から複数の受信側へとデータを伝送する方法、送信ユニット及び／又は受信ユニット、通信システムに関する。
【０００２】
現在の移動無線システムにおいて提供されている多数のサービス及びアプリケーションでは、メッセージは１つの移動無線加入者にのみ伝送されるのではなく、２つまたはそれ以上の移動無線加入者に伝送されるべきである。そのようなサービス及びアプリケーションの例はニュースグループ、ビデオカンファレンス、ビデオ・オン・デマンド、分配アプリケーションなどである。
【０００３】
メッセージを異なる加入者に伝送する際には、各受信側に個別にデータのコピーを送信することが可能である。この技術は確かに簡単に実現することができるが、大きなグループに対しては適していない。同一のメッセージがＮ個以上の受信側に単一コネクションないしユニキャストコネクションを介して伝送され、また共通のコネクション経路を介して何度も送信されるので、この方法は非常に広い帯域幅を必要とする。
【０００４】
改善された可能性はマルチキャスト伝送によって提供される。このマルチキャスト伝送では同一のメッセージが伝送されるべき種々の加入者を１つのマルチキャストグループに統合し、このマルチキャストグループに１つのマルチキャストアドレスを割り当てる。したがって伝送すべきデータはただ一度のみこのマルチキャストアドレスに送信される。送信側から受信側への共通のコネクション経路を介して、ＭＣメッセージが理想的にはただ一度のみ送信される。送信側は、何処にまたどれ程の受信側がマルチキャストアドレスに隠れているかを知る必要はない。
【０００５】
ブロードキャストではメッセージが地理的な領域内の全ての加入者に送信される。そのような領域を例えば全体のネットワークの一部によって決定しても良い。マルチキャストの場合のように、ブロードキャストメッセージは共通のコネクション経路を介して送信側から受信側に理想的にはただ一度のみ送信される。各加入者がそれ以降相応のブロードキャストグループからのブロードキャストパケットを評価しようとする場合、自身の端末装置においてイネーブルのための調節を行う必要がある。加入者は全てのブロードキャストメッセージを受信したいかまたは拒絶したいか否か、または所定のメッセージのみを受信したいか否かを決定することができる。
【０００６】
データ伝送の公知の方法に関して、ネットワークと移動無線装置との間では通常の場合、一定時間内に常に所定量のフレームが交換される。１つのフレームは、例えばＵＭＴＳでは全ての信号処理およびデータ伝送が基礎とする時間的な構造である（［１］を参照されたい）。
【０００７】
これら全てのフレームが連続的に伝送され、移動無線装置によって受信される場合には連続伝送ないし連続受信と言える。しかしながら、例えば移動無線装置のエネルギ需要を低減するために、伝送の際に中断のある受信、ないしいわゆる非連続受信（Discontinuous Reception）ＤＲＸを適用することも可能である。ＤＲＸを適用する場合には、フレームは連続的に伝送されて移動無線装置によって受信されるのではなく、所定のフレームは抜け落ちる。しかしながらこのモードにおいてはコネクションを維持するために、全てのフレームの少なくとも１つの所定の部分集合ないし考えられるフレームのサブセットを伝送する必要がある。
【０００８】
本発明の課題は、ポイント・ツー・マルチポイントサービスの受信側のグループへと効果的にリソース及びエネルギを節約してデータを伝送するための方法、送信ユニット及び／又は受信ユニット及び通信システムを提供することである。殊にマルチメディアブロードキャスト／マルチメディアサービスＭＢＭＳの枠内における使用も可能とされる。
【０００９】
この課題は本発明によれば、請求項１記載の特徴を有する方法及び請求項１７記載の特徴を有する送信ユニット及び／又は受信ユニットによって解決される。さらに、請求項２０記載の特徴を有する通信システムがこの改題を解決する。従属請求項はそれぞれ本発明の好適且つ有利な実施形態を規定する。
【００１０】
本発明による方法は、多層プロトコルアーキテクチャを有するシステムにおいて、有利にはマルチメディアブロードキャスト／マルチキャストサービスＭＢＭＳの形態である、マルチメディア伝送及び／又はマルチキャストサービスについてのブロードキャストサービスＢＣＳの拡張形態であるポイント・ツー・マルチポイントサービスがシステムリソースの使用を分配及び／又はプラニングする際また非連続受信ＤＲＸを使用する際に実施されることによって特徴付けられている。したがって情報は効果的にポイント・ツー・マルチポイントサービスを介するただ一度の伝送の際に送信される。本発明の枠内では情報は、実質的に宣伝効果を伴うまたは要求せずとも送付された情報、殊に新製品及び消費者情報のための提供、広告または宣伝と解することができる。
【００１１】
例えばユニバーサル移動遠隔通信システムＵＭＴＳにおけるプロトコルスタックのように比較的複雑な多層プロトコルアーキテクチャの場合には、規定されていないグループ伝送、または地域的だけには規定されていないグループ伝送ないしポイント・ツー・マルチポイント伝送のための機能はこれまで実現されていない。ＵＭＴＳは本発明にとって実質的な使用フィールドを形成するので以下では、本発明をこの適用に制限せずに、図面を参照した実施例の説明を用いてＵＭＴＳのプロトコル構造を検討する。
【００１２】
本発明による方法に関するプラニングは有利には２つのステップで実施される。第１のメッセージにおいては、何処で、どれ程また何時リソースがマルチキャストメッセージの伝送に割り当てられるかというメッセージが伝達される。したがってこのメッセージを有利には非常に短いものであってよい。第１のメッセージにおいては有利には、トランスポートチャネルのどのリソースまたは物理チャネルのどのフレームがメッセージの伝送のために予約されるまたは割り当てられるかということに関するステートメントを有する情報要素が伝送される。したがって有利には先ずプラニングにおいてはメッセージを伝送するために、どの物理チャネル及びトランスポートチャネルがメッセージの伝送のために使用されるかがシグナリングされ、したがって確認される。したがって本発明による方法は非常にフレキシブルに適応させることができる。ＵＭＴＳのもとには共通トラフィックチャネルＣＴＣＨが本発明の実施形態においては、送信側による設定に応じてＦＡＣＨとは異なるトランスポートチャネル及びＳ−ＣＣＰＣＨとは異なる物理チャネルにマッピングされる。
【００１３】
非連続受信ＤＲＸのプラニングメッセージを基礎として、種々のプロトコル層は無線リソース制御ユニットＲＲＣによってコンフィギュレーションされ、すなわち単方向コネクションの場合には送信側のＲＲＣによってコンフィギュレーションされる。受信側の物理レベルにおいては、どのリソースにおいてＭＣメッセージのデータないし別のプラニングメッセージを期待できるかが知らされる。リソースのプラニング及び／又は割り当てに関するメッセージは本発明の実施形態においては、それぞれマルチキャストグループに関する情報を包含するので、その都度受信側のグループ全体に情報が付与される。有利にはこのようなグループ、殊にマルチキャストグループはＭＣグループアドレスまたはＭＣグループ識別子によってインデックス化される。
【００１４】
殊に有利には、受信側のコントロール層においてはメッセージの別の情報が評価されることによって、有効データを有するＭＣメッセージを受信すべきが否かが決定される。例えばスポーツメッセージを受信したい加入者のみにアクセスされる場合には、このグループ識別子の使用によって、相応のグループのニュースに関心を示さない加入者が情報及びデータを不必要に読むことは非常に効果的に回避される。
【００１５】
プラニングの第１のレベルＭＣ  ＤＲＸレベル１においては、どの物理チャネル及びトランスポートチャネルがＭＣメッセージの伝送に使用されるかがシグナリングされる。換言すれば、ポイント・ツー・マルチポイントサービス、殊にＭＢＭＳサービスの伝送のために使用または予約されるリソースが、メッセージ及び／又はシグナリングデータを伝送するために通知される及び／又は知らされる。このことは有利にはＤＲＸレベル１メッセージにおいて行われる。加入者端末装置にはこのようにして、メッセージないしシグナリングデータ、殊にＤＲＸレベル２メッセージがそもそも何時伝送されるかを通知することができる。さらには、何処でないしどのチャネルにおいてこのメッセージが伝送されるかが通知される。実施形態においては、それがＣＢＳ、マルチメディアブロードキャストまたはマルチキャストであるかを区別するためにメッセージないしシグナリングデータの基礎的な特定化も行われる。伝送チャネル及び期待できる情報の基礎的な等級化に関する、メッセージと結びついたそれぞれのステートメントの利点を以下ではさらに詳細に検討する。しかしながら既にＵＭＴＳの使用のもとで、ＣＴＣＨが送信側による設定に応じてＦＡＣＨとは異なるトランスポートチャネル及びＳ−ＣＣＰＣＨとは異なる物理チャネルにマッピングされることは可能である。
【００１６】
非連続受信ＤＲＸのプラニングメッセージを基礎として、種々のプロトコル層が無線リソース制御ユニットＲＲＣによって、殊に受信側のＲＲＣによってコンフィギュレーションされる。物理レベルでは、どのリソースにおいてＭＣメッセージのデータないし別のプラニングメッセージを期待できるかが知らされる。リソースのプラニング及び／又は割り当てに関するこれらのメッセージはそれぞれのマルチキャストグループに関する情報を包含する。コントロール層ＢＭＣにおいては、メッセージのこれらの情報を例えばグループ属性について評価することによって、有効データを有するＭＣメッセージを受信すべきが否かが決定される。これらの情報は有利には、どの物理チャネル及びトランスポートチャネルにおいて有効データとしてのＭＣメッセージが実際に伝送されるかを内容とするＭＣ  ＤＲＸレベル２メッセージの枠内で通知される。択一的にＭＣ  ＤＲＸレベル２メッセージの枠内においては既に有効データ内容もリソースに関するステートメントと共に通知され、このリソースによってマルチキャストメッセージが後に実際に伝送される。
【００１７】
本発明の有利な実施形態においては、実際にＭＣメッセージが物理チャネル及びトランスポートチャネルのリソースに基づいて何時伝送されるかを事前に割り当てられたインデックス、例えばフレームのインデックスに基づいて割り当てるないし知らせられ、ここでＭＣ伝送のために使用される最初のフレームについてのオフセット及び／又はＣＢＳプラニング周期の長さを表すこともできる。
【００１８】
また有利にはブロードキャストサービスまたはマルチキャストサービスのためのリソースにおいて予約されたリソースを区別するために情報要素が伝送され、本発明による方法はこれら２つのサービスを使用することができる。
【００１９】
小型化が進んでいるために、本発明による方法は送信ユニット及び／又は受信ユニットとしての移動電話において使用され、ここで移動ユニットは有利にはマルチメディアメッセージを送信及び／又は受信するためにも構成されている。相応の通信システムは既述のフレキシブル性に基づいてマルチメディアメッセージの比較的多いデータ量も克服することができる。
【００２０】
本発明を以下付属の図面を参照して有利な実施例に基づき説明する。ここで、
図１は、ＵＭＴＳにおけるプロトコルスタックを説明するための簡略化された構造図である。
図２は、セル・ブロードキャストメッセージの伝送が行われる論理チャネルＣＴＣＨへのフレームの割り当てを示す。
図３は、リソースないしフレームのセットにインデックスを対応付けるためにＣＢＳ  ＤＲＸに関して使用されるようなインデックススキーマを示す。
図４は、［３］の一部であるＣＢＳ  ＤＲＸレベル１情報をシグナリングするための、従来技術により使用される情報要素を示す。
図５は、［４］の一部であるＢＭＣスケジュールメッセージＣＢＳ  ＤＲＸレベル２をシグナリングするための、従来技術により使用される情報要素を示す。
【００２１】
ユニバーサル移動遠隔通信システムＵＭＴＳにおけるプロトコルスタックは多層構造であり、ビット伝送層（物理層）、セキュリティ層（データリンク層）及び媒介層（ネットワーク層）に区分される。セキュリティ層はメディアアクセス制御ＭＡＣ、無線リンク制御ＲＬＣ、パケットデータ変換プロトコルＰＤＣＰ及びブロードキャスト／マルチキャスト制御ＭＢＣの副層に分割される（図１を参照されたい）。媒介層は２つの部分、無線リソース制御ＲＲＣ及び重複回避（Duplication Avoidance）からなり、ＲＲＣ層のみがＵＭＴＳ地球的無線アクセス網ＵＴＲＡＮにおいても終わる。重複回避の対応するインスタンスはＵＴＲＡＮには属さず、コアネットワークＣＮへと移行している。層Ｌ３及びＲＬＣ層においてはユーザレベルＮレベルと制御レベルＣレベルは区別され、ＰＤＣＰ層及びＢＭＣ層はユーザレベルにのみ属する。層の間の楕円は、［２］に規定されているような、それぞれのパートナーインスタンスとの通信のためのサービスアクセスポイントの場所をシンボリックに表す。
【００２２】
ＲＲＣ層は無線動作手段の使用を管理及び制御し、したがって制御サービスアクセスポイントを介して他の全ての層とのコネクションを有し、層のコンフィギュレーションを制御する。したがってこれらの制御サービスアクセスポイントはパートナインスタンス間の通信には使用されずに、専ら同一のプロトコルスタックの層間の通信に使用される。ＲＲＣと下位層との間のコネクションはビット伝送層及びＭＡＣ層の測定値の受信並びに個々の層における機能の制御に使用される。ＲＲＣ層は例えばビット伝送層において実施される電力制御の内部回路の目標値を検出する。
【００２３】
エアインタフェースを介する伝送はいわゆる物理チャネルを介して実現される。ビット伝送層ないし物理層の伝送サービスはサービスアクセスポイントにおいていわゆるトランスポートチャネルを介して提供される。トランスポートチャネルは、どのようにしてデータが伝送されるかによって特徴付けられる。コントロール層ないしＭＡＣ層の伝送サービスは論理チャネルを介して提供される。論理チャネルは、どのような種類のデータが伝送されるかによって特徴付けられる。ここで制御データ及びトラフィックデータないし有効データが区別される。
【００２４】
以下では種々の論理チャネル及びトランスポートチャネルについて言及するので、したがってここでは簡単に説明すべきである。
【００２５】
ＣＢＳメッセージがＲＬＣとＭＡＣとの間で、共通トラフィックチャネルＣＴＣＨと称される論理チャネルを介して伝送される。ＣＴＣＨはユーザレベルのデータを全ての加入者端末装置ＵＥまたはＵＥのグループに伝送するために使用される。ＣＴＣＨは下り経路の単一方向のポイント・ツー・マルチポイントチャネルであり、トランスポートチャネルないし下り方向アクセスチャネルＦＡＣＨにマッピングされる。ＦＡＣＨは下り経路における共通のトランスポートチャネルであり、比較的少ないデータ量を伝送するために使用される。したがってＦＡＣＨは二次共通制御物理チャネルＳ−ＣＣＰＣＨと称される物理チャネルにマッピングされる。基本的にＳ−ＣＣＰＣＨはＦＡＣＨ及び１つまたは複数のページングチャネルＰＣＨの情報を運ぶ。一次ＣＣＰＣＨ、Ｐ−ＣＣＰＣＨはＢＣＨの情報を伝送する。
【００２６】
論理チャネル放送制御チャネルＢＣＣＨは下り経路の共通チャネルであり、このチャネルにおいて制御データが無線セル内の全てのＵＥにブロードキャスト（rundsenden）される。この制御データは例えばシステム情報ブロックＳＩＢである。ＢＣＣＨはＦＡＣＨかブロードキャストチャネルＢＣＨにマッピングされる。
【００２７】
受信が中断した際のデータ伝送ないしいわゆる非連続受信ＤＲＸは既に冒頭で述べたように公知の措置として説明しており、例えば移動無線装置のエネルギ需要を低減する。ＤＲＸはＵＭＴＳにおいて規定されたセル・ブロードキャストサービスＣＢＳに特に適用される。フレームないしリソースがＣＢＳサービスに何時使用され、またこれらのリソースがＣＢＳメッセージを何時トランスポートするかというシステム内部プラニングは、いわゆるスケジューリング情報によって知らされる。このプラニングは２つのステップで実現される。
【００２８】
プラニングの第１のステップＣＢ  ＤＲＸレベル１は、トランスポートチャネルＦＡＣＨのどのリソースないしＳ−ＣＣＰＣＨのどのフレームがセル・ブロードキャストメッセージの伝送にそもそも予約ないし割り当てられているかをシグナリングすべきである。このシグナリングはシステム情報の部分としてＲＲＣへと論理チャネルＢＣＣＨを介して伝送される。ＣＢ  ＤＲＸレベル１メッセージにおいては、セル・ブロードキャストメッセージの伝送に対してフレームがどれ程また何時割り当てられているかが通知される。図４にはＣＢＳ  ＤＲＸレベル１情報をシグナリングするための、従来技術により使用される情報要素が表されている。このフレームにおいてのみＣＢメッセージを伝送することができる。
【００２９】
図２は論理チャネルＣＴＣＨへのフレームの割り当てに関する例を示し、この論理チャネルＣＴＣＨを介してセル・ブロードキャストメッセージの伝送が行われる。この図には、フレーム番号０に対する２つのフレームのオフセット、６つのフレームの割り当てられたリソースの周期性、及び２つの連続するフレームの数が表されている。ＣＢメッセージを受信しようとする移動無線装置ＵＥは、その内容について各フレームを検査する必要はなく、番号２／３、８／９、１４／１５などを有するフレームだけを検査しさえすればよい。したがって処理の手間、それに伴いＵＥ内のエネルギの需要も低減される。
【００３０】
ＣＢＳ  ＤＲＸには、図３に示されているように、リソースないしフレームのセットにインデックスを対応付けるインデクススキーマが使用される。これに続くプラニングの第２のステップにおけるリソースの割り当てを非常に簡単にこのインデックスを介して行うことができる。
【００３１】
プラニングの第２のステップＣＢＳ  ＤＲＸレベル２に関しては、いわゆるインバンド・スケジューリングメッセージが論理チャネルＣＴＣＨにおいて本来のＣＢメッセージと共に伝送されて、ＢＭＣによって評価される。このＣＢＳ  ＤＲＸレベル２メッセージにおいては、ＵＥに種々の情報が伝送される（ＣＢＳ  ＤＲＸレベル２情報をシグナリングするための従来技術により使用される情報要素を表した図５を参照されたい）。示された情報は以下のものを包含する：
・使用されるリソースインデックスによってインデックス化された、ＣＢＳ  ＤＲＸレベル１メッセージにおいて知らされるリソースのいずれにおいて実際にＣＢメッセージが伝送されるかという情報。
・例えば、ＭＣメッセージの伝送のために使用される最初のフレームに関するオフセット及びＣＢＳプラニング周期の長さ、すなわち連続するリソースの数が表される。
・メッセージタイプ（ＣＢＳメッセージまたはスケジューリングメッセージ）。
・メッセージ識別子（ＣＢＳメッセージのソース及びタイプの識別子）。
・シリアル番号（所定のメッセージを既に得ているか否かということを識別できるＵＥについての情報）。
・符号化スキーマ（適用される符号化及び言語に関する情報）。
【００３２】
ＲＲＣ及びＢＭＣはいわゆるプリミティブによって例えば種々のレベル及びユニットのコンフィギュレーションに関する情報を交換する。
【００３３】
相応のスケジューリングメッセージを得た後にＢＭＣはＲＲＣに、ＲＲＣは物理レベルをＣＢＳメッセージを受信するためにコンフィギュレーションすべきか否かという情報を提供する。したがってＲＲＣはＢＭＣに対してやはりＣＴＣＨコンフィギュレーションの所定の調節に関して情報を与える。さらには例えばデータフローの測定に関する情報が交換される。
【００３４】
ＵＭＴＳにおけるマルチキャストないしＭＣサービスに関する非連続受信ＤＲＸの本発明による導入については、既にＣＢＳサービスに関して記述した非連続受信ＤＲＸの特性をＵＭＴＳのもとでのマルチキャストサービスないしＭＣサービスに対しても使用できるようにすることを目的として前述の技術が適合される。マルチキャストサービスに関して非連続受信ＤＲＸを使用する本発明による方法を以下ではＭＣ  ＤＲＸと称す。
【００３５】
ＭＣサービスに対してどのリソースが使用され、このリソースが何時マルチキャストメッセージをトランスポートするかというＭＣ  ＤＲＸに関するプラニングは、ＣＢＳと同様に相応のメッセージによって知らされる。リソースのプラニング及び割り当てに関するメッセージはこのために例えばマルチキャストグループに関する情報を包含する。実施形態においては、マルチキャストグループはＭＣグループアドレスまたはＭＣグループ識別子によってインデックス化される。
【００３６】
どの物理チャネルまたはトランスポートチャネルにおいて、フレームないしリソースがＭＣサービスに何時使用されるか、またこれらのリソースが何時マルチキャストメッセージをトランスポートするかというＭＣ  ＤＲＸに関するプラニングは、いわゆる「スケジューリングメッセージ」またはプラニングメッセージによって知らされる。これらのプラニングメッセージを基礎として、種々のＵＭＴＳプロトコル層が無線リソース制御ユニットＲＲＣによってコンフィギュレーションされる。したがって既に物理レベルではどのリソースにおいて一般にＭＣメッセージないし別のプラニングメッセージを期待できるか既知である。さらには、ＢＭＣ層は別の情報を評価することによってどのＭＣメッセージを実際に受信すべきかということを判定することができる。プラニングは以下で説明する２つのステップで実現される。
【００３７】
プラニングの第１のステップＭＣ  ＤＲＸレベル１は、どの物理チャネル及びトランスポートチャネルがＭＣメッセージの伝送を準備するためのプラニング情報の伝送に使用されるかをシグナリングする。何故ならばＣＢＳに比べるとＭＣサービスに関してＣＴＣＨは、選択的にもＦＡＣＨとは異なるトランスポートチャネル及びＳ−ＣＣＰＣＨとは異なる物理チャネルにマッピングされるからである。さらにＭＣ  ＤＲＸレベル１メッセージにおいては、物理チャネルのどのフレームが別のプラニング情報の伝送のために予約ないし割り当てられているかという情報要素が伝送される。
【００３８】
このシグナリングはシステムの部分として情報をＲＲＣへと論理チャネルＢＣＣＨを介して伝送する。ＭＣ  ＤＲＸレベル１メッセージにおいては、リソースがマルチキャストメッセージの伝送のためにそもそも何処で、どれ程また何時割り当てられているかということも通知される。このフレームにおいてのみＭＣメッセージを伝送することができる。
【００３９】
ＭＣ  ＤＲＸに関しては本発明によれば、使用される物理チャネル及びトランスポートチャネルと組み合わされたリソースのセットにインデックスを対応付けるインデックススキーマが使用される。これに続くプラニングの第２のステップにおけるリソースの割り当ては、非常に簡単にこのインデックスによって行われる。
【００４０】
プラニングの第２のレベルＭＣ  ＤＲＸレベル２に関しては、いわゆる「インバンドスケジューリングメッセージ」が本来のＭＣメッセージと共に伝送され、ＢＭＣによって評価される。このＭＣ  ＤＲＸレベル２メッセージにおいては、加入者端末装置ＵＥに種々の情報が伝送される。これらの情報は例えば以下のものである。
１．ＭＣ  ＤＲＸレベル１メッセージにおいて言及した物理チャネル及びトランスポートチャネルのいずれにおいて実際にＭＣメッセージが伝送されるかという情報。
２．ＭＣ  ＤＲＸレベル１メッセージにおいて知らされるリソースのいずれにおいて実際にマルチキャストメッセージが伝送されるかという情報。
３．メッセージタイプ、すなわちＭＣメッセージまたはスケジューリングメッセージの区別。
４．メッセージ識別子（ＭＣグループアドレスないしＭＣグループ識別子、ＭＣメッセージのソース及びタイプの識別子）。
５．シリアル番号（所定のメッセージが既に得られた否かということを識別できるＵＥに関する情報）。
６．符号化スキーマ（適用される符号化及び言語に関する情報）。
【００４１】
前述の本発明によるインデックススキーマを使用する際の前述の項目１及び２では、ＭＣメッセージが物理チャネル及びトランスポートチャネルのリソースに基づき実際に何時伝送されるかを、予め割り当てられたインデックスによって割り当てるないし知らせることができる。それ以外の場合には別の割り当て規則が設定される。いずれの場合でもさらに例えば、ＭＣ伝送に使用される最初のフレームに関するオフセット及びＣＢＳプラニング周期の長さ、すなわち連続するリソースの数が表される。
【００４２】
ＣＢＳに関する既存のＤＲＸがＭＣ  ＤＲＸを支援する機能について拡張される場合には、予約されているリソースがブロードキャストまたはマルチキャストのためのリソースであるか否かを区別するために使用される情報要素が導入される。例えば「メッセージタイプ」をＣＢＳメッセージ、ＭＣメッセージ、スケジューリングメッセージなどを相互に区別するために使用することができる。
【００４３】
本発明による方法はリソースの割り当てによって、送信すべきメッセージの量に非常にフレキシブルに適合させることができる。つまり本発明による方法では、例えばマルチメディアの内容を有するメッセージのような複雑なメッセージ、いわゆるマルチメディアメッセージＭＭも送信することができる。伝送をプラニング及び準備するために事前に送信されるレベル１メッセージ及びレベル２メッセージは、マルチメディア内容に比べて実質的に僅かな伝送帯域幅しか必要としない。つまりレベル１メッセージ及び／又はレベル２メッセージは比較的狭帯域のチャネルを介して伝送され、これによって同時に複数実行される伝送を用いる通信システムの場合には、使用される全体の帯域幅を非常に効果的に分配及び／又は割り当てることができる。
【００４４】
このためにさらには説明しない本発明の実施形態においては、ＣＢＳ  ＤＲＸレベル１情報をシグナリングするための情報要素が図４により拡張される、ないしここで新たな情報要素が導入される。この解決手段によって、殊に逆方向の互換性を考慮して、したがってＭＢＭＳサービスの伝送のために使用されるリソースが規定される。公知の方法に比べ、ＭＢＭＳサービスの伝送には、Ｓ−ＣＣＰＣＨとは異なる物理チャネル、ＦＡＣＨとは異なるトランスポートチャネル及びＣＴＣＨとは異なる論理チャネルも使用される。
【００４５】
同様に詳細には表していない、ＣＢＳ  ＤＲＸレベル２によりＢＭＣスケジューリングメッセージをシグナリングするために図５において表された情報要素を拡張することによって、ＭＢＭＳサービスを伝送するために使用されるリソースが規定される。殊にリソースのコンフィギュレーションが十分に解放される。物理チャネル、トランスポートチャネル及び論理チャネルの特性、またリソースの割り当てに関するパラメータが付加されるので、むしろ広範な領域において、コンフィギュレーションされたリソースのいずれが何時ＭＢＭＳグループに対して割り当てられているかを自由に示すことができる。
【００４６】
本明細書において扱われるプロトコルに関する基礎は要約されて殊に以下の文献に見て取れる：
［１］  3GPP 25.211, Physical Channels and mapping of transport channels onto physical channels, release 99
［２］  Walke, B. : Mobilfunknetze und ihre Protokolle, Band1, Teubner Verlag GmbH, Wiesbaden 2000
［３］  3GPP TS 25.331 V3.6.0, RRC Protocol Specification, Release 1999
［４］  3GPP TS 25.324 V3.4.0, Broadcast/Multicast Control BMC, Release 1999
【図面の簡単な説明】
【００４７】
【図１】ＵＭＴＳにおけるプロトコルスタックを表すための簡略化された構造図。
【図２】論理チャネルＣＴＣＨへのフレームの割り当てを示す。
【図３】リソースないしフレームのセットにインデックスを対応付けるためにＣＢＳ  ＤＲＸに関して使用されるようなインデックススキーマを示す。
【図４】ＣＢＳ  ＤＲＸレベル１情報をシグナリングするための従来技術により使用される情報要素を示す。
【図５】ＢＭＣスケジューリングメッセージＣＢＳ  ＤＲＸレベル２をシグナリングするための従来技術により使用される情報要素である。
【図１】
2004538730.tif 000003
【図３】
2004538730.tif 000004
【図４】
2004538730.tif 000005
【図５】
2004538730.tif 000006
【国際公開パンフレット】
2004538730.tif 000007
2004538730.tif 000008
2004538730.tif 000009
2004538730.tif 000010
2004538730.tif 000011
2004538730.tif 000012
2004538730.tif 000013
2004538730.tif 000014
2004538730.tif 000015
2004538730.tif 000016
2004538730.tif 000017
2004538730.tif 000018
2004538730.tif 000019
2004538730.tif 000020
2004538730.tif 000021
2004538730.tif 000022
2004538730.tif 000023
2004538730.tif 000024
2004538730.tif 000025
2004538730.tif 000026
2004538730.tif 000027
2004538730.tif 000028
2004538730.tif 000029
2004538730.tif 000030
【手続補正書】
【提出日】平成15年10月24日(2003.10.24)
【手続補正１】
【補正対象書類名】特許請求の範囲
【補正対象項目名】全文
【補正方法】変更
【補正の内容】
【特許請求の範囲】
【請求項１】
多層プロトコルアーキテクチャを有する無線通信システムにおいて、１つの送信側から少なくとも１つの伝送チャネルを介して無線通信システム（ＦＣＳ）の複数の受信側にデータを伝送する方法であって、
第１のプラニングメッセージを用いて、第１の別個の伝送チャネルを介してデータの伝送を知らせ、第２のプラニングメッセージを用いて少なくとも１つの第２の伝送チャネルを介してデータの記述情報を伝送する、データを伝送する方法において、
前記第１のプラニングメッセージにおいて、前記第２の伝送チャネルのいずれが前記第２のプラニングメッセージの伝送に何時使用するかを知らせることを特徴とする、データを伝送する方法。
【請求項２】
有利にはマルチメディアブロードキャスト／マルチキャストサービス（ＭＢＭＳ）の形態である、マルチメディア伝送及び／又はマルチキャストサービスについてのブロードキャストサービス（ＣＢＳ）の拡張形態を実施する、請求項１記載の方法。
【請求項３】
前記第１のプラニングメッセージ及び／又は前記第２のプラニングメッセージにそれぞれの受信側グループ、殊にマルチキャストグループに関する情報を付加する、請求項１または２記載の方法。
【請求項４】
受信側グループを受信側グループアドレスまたは受信側グループ識別子によってインデックス化する、請求項３記載の方法。
【請求項５】
第２のプラニングメッセージが第２の伝送チャネルにおいて実際に何時伝送されるかを事前に割り当てたインデックスに基づき割り当てるないし知らせる、請求項１から４までのいずれか１項記載の方法。
【請求項６】
送信ユニット及び／又は受信ユニットにおいて、
請求項１から５までのいずれか１項記載の方法を使用するために構成されていることを特徴とする、送信ユニット及び／又は受信ユニット。
【請求項７】
移動電話として構成されている、請求項６記載の送信ユニット及び／又は受信ユニット。
【請求項８】
マルチメディアメッセージ（ＭＭ）を送信及び／又は受信するために構成されている、請求項６または７記載の送信ユニット及び／又は受信ユニット。
【国際調査報告】
2004538730.tif 000031
2004538730.tif 000032
2004538730.tif 000033
2004538730.tif 000034
2004538730.tif 000035
2004538730.tif 000036